(57)【要約】【課題】マウンド魚礁の特徴を効果的に改善可能なマウンド魚礁構造物及びその構築方法を提供する。【解決手段】このマウンド魚礁構造物１０は、湧昇流を発生させるために海底面Ｇにマウンド状に構築されるものであって、両端に形成された略円錐状部１１，１２と、略円錐状部の間に、斜面１５，１６を有する略三角形状断面に形成されたマウンド部１３と、を備え、マウンド部の構成材料は略円錐状部の構成材料と性質が異なる。【選択図】図１
2008212108.tif 000002
【特許請求の範囲】
【請求項１】
湧昇流を発生させるために海底面にマウンド状に構築されるマウンド魚礁構造物であって、性質の異なる複数の構成材料からなることを特徴とするマウンド魚礁構造物。
【請求項２】
湧昇流を発生させるために海底面にマウンド状に構築されるマウンド魚礁構造物であって、
両端に形成された略円錐状部と、前記略円錐状部の間に形成されて斜面を有するマウンド部と、を備え、
前記マウンド部の構成材料は前記略円錐状部の構成材料と性質が異なることを特徴とするマウンド魚礁構造物。
【請求項３】
前記マウンド魚礁構造物の表層部分に魚類の蝟集効果の高い構成材料を配置し、前記表層部以外の部分には経済性のある別の構成材料を配置した請求項１または２に記載のマウンド魚礁構造物。
【請求項４】
湧昇流を発生させるために海底面にマウンド状にマウンド魚礁構造物を構築する構築方法であって、
第１の構造部を第１の構成材料から構築し、
前記第１の構造部の少なくとも一部を覆うように第２の構造部を前記第１の構成材料と性質が異なる第２の構成材料から構築することを特徴とするマウンド魚礁構造物の構築方法。
【請求項５】
湧昇流を発生させるために海底面にマウンド状にマウンド魚礁構造物を構築する構築方法であって、
第１の構成材料を用いて第１の略円錐状部を構築し、
前記第１の略円錐状部から離れた位置に第２の略円錐状部を構築し、
前記第１の略円錐状部と前記第２の略円錐状部との間に前記第１の構成材料と性質が異なる第２の構成材料から斜面を有するマウンド部を構築することを特徴とするマウンド魚礁構造物の構築方法。
【請求項６】
前記第１及び第２の略円錐状部から離れた位置に第３の略円錐状部を構築してから、前記各略円錐状部の間に前記マウンド部を構築する請求項５に記載のマウンド魚礁構造物の構築方法。
【請求項７】
前記第２の略円錐状部及び／又は前記第３の略円錐状部を前記第１の構成材料から構築する請求項５または６に記載のマウンド魚礁構造物の構築方法。
【請求項８】
前記第２の略円錐状部及び／又は前記第３の略円錐状部を前記第１の構成材料と異なる第３の構成材料から構築する請求項５または６に記載のマウンド魚礁構造物の構築方法。
【発明の詳細な説明】
【技術分野】
【０００１】
本発明は、湧昇流を発生させるために海底面にマウンド状に構築されるマウンド魚礁構造物及びその構築方法に関する。
【背景技術】
【０００２】
図１１（ａ）〜（ｃ）に示すマウンド魚礁１００は、海底面Ｇに石材やブロックを用いて図のようにマウンドを形成し、湧昇流を発生させて栄養塩分布の増加及び魚礁としての魚類の蝟集効果により漁場整備を行なうものであり、既にいくつかの公知例・施工例がある（例えば、特許文献１乃至３参照）。
【０００３】
図１１のようなマウンド魚礁１００の構成材料としては、土砂、石材、コンクリートや石炭灰を利用した各種ブロックなど多種多様なものが提案されているが（例えば、特許文献４参照）、従来までの施工例においては石材を構成材料としたものと、石炭灰を利用したブロックを構成材料としたものしかなく、しかもいずれの場合においても単一の構成材料を用いており、マウンド魚礁１００は単一の構成材料から構成されていた。
【特許文献１】特許公報第２６０７９７９号
【特許文献２】特許公報第２６２８１１４号
【特許文献３】特許公報第２９９２９４０号
【特許文献４】特許公報第２９１７１８９号
【発明の開示】
【発明が解決しようとする課題】
【０００４】
上述のような従来の石材を用いたマウンド魚礁と石炭灰を利用したブロックを用いたマウンド魚礁との比較における最大の特徴は、石材は天然材料であり経済性において石炭灰を利用したブロックよりも優れる一方、石炭灰を利用したブロックを用いたマウンド魚礁は石材を用いる場合よりも魚類の蝟集に影響を与える空隙の形成が制御し易く、また、発電所などで副産物として生成される産業廃棄物である石炭灰の有効活用効果（リサイクル効果）も有している。
【０００５】
しかしながら、従来までは、どの構成材料を用いると事業効果が最大となるかといった比較検討はなされても、複数の異なる性質をもつ構成材料を用いることで、建設されるマウンド魚礁の特徴を効果的に改善しようという積極的な取り組みはなされていない。
【０００６】
本発明は、上述のような従来技術の問題に鑑み、マウンド魚礁の特徴を効果的に改善可能なマウンド魚礁構造物及びその構築方法を提供することを目的とする。
【課題を解決するための手段】
【０００７】
上記目的を達成するために、本発明者等は、鋭意検討・研究の結果、性質の異なる複数の構成材料を用いることで異なる特徴を併せ持つマウンド魚礁を建設可能であり、石材及び石炭灰を利用したブロックを例にすると、石材の経済性に関する優位性は使用量が大きくなるほど顕著となるし、石炭灰を利用したブロックの魚類の蝟集効果については表面積が大きくなるほど顕著となるので、マウンド魚礁の表層部を石炭灰を利用したブロックで構成し、マウンド魚礁の内部を石材で構成すれば魚類の蝟集効果と経済性といった異なる特徴を併せ持つことが可能となる、という知見を得て本発明に至ったものである。
【０００８】
すなわち、本発明によるマウンド魚礁構造物は、湧昇流を発生させるために海底面にマウンド状に構築されるマウンド魚礁構造物であって、性質の異なる複数の構成材料からなることを特徴とする。
【０００９】
このマウンド魚礁構造物によれば、例えば、経済性の優れた構成材料や魚類の蝟集効果のある構成材料や産業廃棄物のリサイクル効果のある構成材料等の性質の異なる複数の構成材料から構成することで、経済性や魚類の蝟集効果やリサイクル効果等の異なる特徴を有するマウンド魚礁構造物を実現でき、マウンド魚礁の特徴を効果的に改善することができる。
【００１０】
本発明によるもう１つのマウンド魚礁構造物は、湧昇流を発生させるために海底面にマウンド状に構築されるマウンド魚礁構造物であって、両端に形成された略円錐状部と、前記略円錐状部の間に形成されて斜面を有するマウンド部と、を備え、前記マウンド部の構成材料は前記略円錐状部の構成材料と性質が異なることを特徴とする。
【００１１】
このマウンド魚礁構造物によれば、例えば、略円錐状部を経済性の優れた構成材料から構成し、マウンド部を魚類の蝟集効果のある構成材料や産業廃棄物のリサイクル効果のある構成材料から構成することで、マウンド魚礁構造物を性質の異なる複数の構成材料から別々に構成することができる。これにより、経済性や魚類の蝟集効果やリサイクル効果等の異なる特徴を有するマウンド魚礁構造物を実現でき、マウンド魚礁の特徴を効果的に改善することができる。
【００１２】
また、マウンド部は両端の略円錐状部の間に延在し、斜面を有し、斜面で湧昇流を効率的に発生させることができる。更に、マウンド魚礁構造物を両端の略円錐状部とその間のマウンド部とから構成することで、まず略円錐状部を構築してから、次にマウンド部を性質の異なる構成材料で構築することができ、比較的容易に構築が可能となる。
【００１３】
なお、マウンド部は両端の略円錐状部の間に位置するので、両端の略円錐状部の内側部分はマウンド部の構成材料により覆われることになる。また、マウンド部は略円錐状部の間で略三角形状の断面を有するが、マウンド部の内部を経済性の優れた構成材料から構成し、マウンド部の表層部を性質の異なる構成材料で構成するように二層構造としてもよい。
【００１４】
また、マウンド魚礁構造物はマウンド部が潮流に対しほぼ直交する方向に延在するように略円錐状部が配置されることが好ましい。また、両端の略円錐状部の構成材料が異なるようにしてもよい。
【００１５】
また、マウンド魚礁構造物の縦方向長さが比較的長い場合、両端の略円錐状部の中間に更に第３，第４，・・・の略円錐状部を配置するようにしてもよく、この場合、中間の略円錐状部の構成材料がマウンド部を構成する構成材料と異なるようにしてよく、また、その中間の略円錐状部によって分断された両側のマウンド部を構成する材料が異なるようにしてもよい。
【００１６】
また、両端の略円錐状部の少なくとも一方の外側に、略円錐状部と性質の異なる構成材料によりマウンド部として延長部を配置し（この場合、延長部の端がマウンド魚礁構造物の端部となる）、略円錐状部の外側部分が延長部の構成材料で覆われる。
【００１７】
上記各マウンド魚礁構造物において、その表層部に魚類の蝟集効果の高い構成材料を配置し、それ以外の部分には石材等の経済性のある別の構成材料を配置するように二層構造に構成できる。例えば、マウンド魚礁構造物の内部に位置する土台を石材から構成し、その表層部分の少なくとも一部を魚類の蝟集効果の高い構成材料から構成したり、また、両端の略円錐状部を石材から構成し、そのマウンド部を魚類の蝟集効果の高い構成材料から構成するようにできる。
【００１８】
本発明によるマウンド魚礁構造物の構築方法は、湧昇流を発生させるために海底面にマウンド状にマウンド魚礁構造物を構築する構築方法であって、第１の構造部を第１の構成材料から構築し、前記第１の構造部の少なくとも一部を覆うように第２の構造部を前記構成材料と性質が異なる第２の構成材料から構築することを特徴とする。
【００１９】
このマウンド魚礁構造物の構築方法によれば、例えば、第１の構成材料を経済性の優れた構成材料とし、第２の構成材料を魚類の蝟集効果のある構成材料や産業廃棄物のリサイクル効果のある構成材料とすることで、性質の異なる複数の構成材料を用いてマウンド魚礁構造物を構築できるので、経済性や魚類の蝟集効果やリサイクル効果等の異なる特徴を有するマウンド魚礁構造物を構築でき、マウンド魚礁の特徴を効果的に改善することができる。
【００２０】
なお、例えば、第１の構造部を第１の構成材料で略円錐状や略台形状に構築し、その後に、第１の構造部の一部または全部を性質の異なる第２の構成材料で覆うようにして第２の構造部を構築することで、マウンド魚礁構造物を構築できる。
【００２１】
本発明によるもう１つのマウンド魚礁構造物の構築方法は、湧昇流を発生させるために海底面にマウンド状にマウンド魚礁構造物を構築する構築方法であって、第１の構成材料を用いて第１の略円錐状部を構築し、前記第１の略円錐状部から離れた位置に第２の略円錐状部を構築し、前記第１の略円錐状部と前記第２の略円錐状部との間に前記第１の構成材料と性質が異なる第２の構成材料から斜面を有するマウンド部を構築することを特徴とする。
【００２２】
このマウンド魚礁構造物の構築方法によれば、例えば、略円錐状部を経済性の優れた第１の構成材料から構築し、マウンド部を魚類の蝟集効果等の性質の異なる第２の構成材料から構築することで、経済性や魚類の蝟集効果やリサイクル効果等の異なる特徴を有するマウンド魚礁構造物を構築でき、マウンド魚礁の特徴を効果的に改善することができる。
【００２３】
また、最初に、各略円錐状部を構築してから、次に、湧昇流を効率的に発生できる斜面を有するマウンド部を性質の異なる構成材料で構築することができ、比較的容易に構築が可能となる。
【００２４】
また、前記第１及び第２の略円錐状部から離れた位置に第３の略円錐状部を構築してから、前記各略円錐状部の間に前記マウンド部を構築することで、比較的縦方向長さの長いマウンド魚礁構造物を構築することができる。
【００２５】
また、前記第２の略円錐状部及び／又は前記第３の略円錐状部を前記第１の構成材料から構築することができる。
【００２６】
また、前記第２の略円錐状部及び／又は前記第３の略円錐状部を前記第１の構成材料と異なる第３の構成材料から構築してもよい。この場合、第３の構成材料として、例えば、安価に供給可能な経済性のあるブロックや、そのブロックと石材との混合物等がある。
【００２７】
なお、同様に、第４，第５，・・・の略円錐状部を構築するようにしてもよい。また、第３，第４，・・・の略円錐状部が中間に位置し、第３，第４，・・・の略円錐状部を間に挟んで複数のマウンド部を第３の構成材料から構築するとき、第３の構成材料が第３，第４，・・・の略円錐状部を覆うようにすることで、各マウンド部は一体になって、単一のマウンド部を構成できる。
【００２８】
以上のように、マウンド魚礁構造物を建設する際に、まず、第１の構成材料で一方の端の略円錐状部の構築を行い、次に、第２の構成材料で他方の端の略円錐状部の構築を行なう。更に、もし必要であれば、第３，第４，・・・の中間の略円錐状部を構築していく（または、一方の端の略円錐状部からマウンド魚礁構造物の縦方向に順々に各略円錐状部を構築していく）。そして、各略円錐状部の構築が終了した後に、略円錐状部の間に、略円錐状部の構成材料とは性質の異なる構成材料から略三角形断面のマウンド部を構築することで、性質の異なる複数の構成材料からなるマウンド魚礁構造物を比較的容易に構築することができる。このため、異なる特徴を有するマウンド魚礁構造物を効率的に低コストで建築可能となる。
【００２９】
なお、上記構築方法においては、複数の略円錐状部の構築をそれぞれの構成材料により略同時進行的にほぼ平行して行うようにしてもよい。
【００３０】
また、上述のように、マウンド魚礁構造物の両端部は略円錐状部として略三角形状の断面のマウンド部に先行して建設されることになるが、両端の略円錐状部の少なくとも一方の外側に、マウンド部と同様の構成材料を用いた延長部を構築して最終的にできあがるマウンド魚礁構造物の端部としてもよい。
【００３１】
なお、上述の「マウンド魚礁構造物」、「マウンド状」、及び、「マウンド部」における「マウンド」とは、土砂や石材やブロック等により地面上に丘状に築かれたものをいう。
【発明の効果】
【００３２】
本発明のマウンド魚礁構造物及びその構築方法によれば、異なる特徴を有する構成材料を用いたマウンド魚礁構造物を実現でき、マウンド魚礁の特徴を効果的に改善することができる。
【発明を実施するための最良の形態】
【００３３】
以下、本発明を実施するための最良の形態について図面を用いて説明する。以下の各実施の形態によるマウンド魚礁構造物は、湧昇流発生効果と魚類の蝟集効果による漁場整備を目的として海底面に多数の石材やブロック等から構築されるものである。
【００３４】
〈第１の実施の形態〉
【００３５】
図１は、第１の実施の形態によるマウンド魚礁構造物を概略的に示す平面図（ａ）、横方向のｂ−ｂ線方向に切断してみた概略的な横断面図（ｂ）、及び縦方向のｃ−ｃ線方向に切断してみた概略的な縦断面図（ｃ）である。
【００３６】
図１（ａ）〜（ｃ）に示すマウンド魚礁構造物１０は、海底面Ｇに複数の構成材料を用いて構築されるものであり、図１（ａ）に示す縦方向Ｌの両端側に多数の石材から略円錐形状に形成された第１及び第２の略円錐状部１１，１２と、第１の略円錐状部１１と第２の略円錐状部１２との間に多数の石炭灰ブロックから縦方向Ｌに延びるように丘状に形成されたマウンド部１３と、を備える。
【００３７】
２つの略円錐状部１１，１２は、それらの略円形状底面の法尻において接点部１４の近傍で接するように構築されている。
【００３８】
各略円錐状部１１，１２が多数の石材で構築されてから、両端の略円錐状部１１，１２の間にマウンド部１３が多数の石炭灰ブロックで構築されるので、図１（ｃ）のように、略円錐状部１１，１２の外側の略半分の円錐状斜面１１ａ，１２ａが外部に露出するとともに、略円錐状部１１，１２の内側の略半分の円錐状斜面１１ｂ，１２ｂがマウンド部１３の石炭灰ブロックで覆われる。
【００３９】
マウンド部１３は、図１（ｂ）、（ｃ）のように、略円錐状部１１，１２の２つの頂部を結ぶように縦方向Ｌ（図１（ａ））に略直線状に延びた頂上部１３ａを有するとともに、縦方向Ｌに直交する横方向に頂上部１３ａを挟んで２つの斜面１５，１６を有する。
【００４０】
マウンド部１３の横方向断面は、図１（ｂ）のように、頂上部１３ａを頂点として斜面１５，１６からなる略二等辺三角形状となっている。また、マウンド部１３の縦方向断面は、図１（ｃ）のように、略円錐状部１１，１２の２つの頂部及び接点部１４を頂点として斜面１１ｂ，１２ｂとマウンド部１３の頂上部１３ａとからなる略三角形状となっている。
【００４１】
第１及び第２の略円錐状部１１，１２の構成材料は石材であり、例えば、一個あたりの重量が約５００ｋｇの内外の石材を使用できる。マウンド部１３の構成材料は、石材と性質の異なる石炭灰ブロックであり、例えば、火力発電所等から発生する産業廃棄物である石炭灰とセメントとからなる例えば、１．６ｍ×１．６ｍ×１．６ｍの略立方体状のものを使用できる。
【００４２】
石材は、天然材料で比較的安価であり経済性に優れる一方、石炭灰ブロックは、魚類の蝟集に影響を与える空隙の形成が制御し易いため魚類の蝟集効果を有し、また、火力発電所等から発生する産業廃棄物である石炭灰を利用するために、石炭灰の有効活用効果（リサイクル効果）がある。
【００４３】
図１（ａ）〜（ｃ）のように、マウンド魚礁構造物１０は、縦方向Ｌが現場海域の潮流の流れ方向ｍに対し略直交するように配置され、例えば、流れ方向ｍからの潮流が主にマウンド部１３の斜面１５に当たり、図１（ｂ）のように、上方向ｎに湧昇流が発生する。
【００４４】
次に、図１（ａ）〜（ｃ）のマウンド魚礁構造物１０の構築方法について図２のフローチャートを参照して説明する。
【００４５】
まず、第１の略円錐状部１１を海底面Ｇに石材から構築する（Ｓ０１）。次に、図１（ａ）の縦方向Ｌに所定距離だけ離れた位置に第２の略円錐状部１２を海底面Ｇに同様に石材から構築する（Ｓ０２）。
【００４６】
次に、略円錐状部１１，１２の間に石炭灰ブロックから図１（ｂ）のように斜面１５，１６を有し略三角形状断面のマウンド部１３を構築する（Ｓ０３）。
【００４７】
以上のように、両端の略円錐状部１１，１２を高度な施工管理の下で先行して構築し、次に、その間に略三角形状断面を有するマウンド部１３の構築を行うことで、図１（ａ）〜（ｃ）のマウンド魚礁構造物１０を構築できる。
【００４８】
上述のようにして、複数の構成材料を用いてマウンド魚礁構造物１０の構築を行うが、石材による構築が終了した後に、別の構成材料である石炭灰ブロックによる構築を行なうので、施工工程や管理工程がさほど複雑にならず、比較的容易に構築でき、マウンド魚礁構造物１０を効率的に低コストで建築することができる。
【００４９】
なお、マウンド魚礁構造物１０の構築方法の各工程Ｓ０１〜Ｓ０３において、石材及び石炭灰ブロックを現場海域で海中に投入して海中を自然落下させて海底面に積み重ねるようにして略円錐状部１１，１２及びマウンド部１３を構築することができるが、この場合、本出願人が先に特開２００４−３３９７６４号公報や特開２００６−１２５０５９号公報や特願２００６−７９８８７号で提案したような投入方法や投入位置予測方法により、マウンド魚礁構造物１０を精度よく構築可能である。
【００５０】
例として、マウンド魚礁構造物１０を、図１（ａ）〜（ｃ）において水深９０ｍの海底面Ｇに、全長ｄが１５０ｍ、略円錐状部１１，１２の底面半径ｅ、ｇが３７．５ｍ、マウンド幅（峰間距離）ｆが７５ｍ、マウンド高さｈが１５ｍ、マウンド長さ（横方向長さ）ｉが７５ｍの各設計寸法で、上述のように石材及び石炭灰ブロックから構築した場合、マウンド魚礁構造物１０の全体積６４，２７７ｍ3に対して石炭灰ブロックからなるマウンド部１３の体積は２０，０９８ｍ3であり、石炭灰ブロックの占める体積の割合は全体積の約３１％で済み、マウンド部１３の表面は全て石炭灰ブロックにより覆われることになる。また、マウンド魚礁構造物１０の全表面積１０，８１６ｍ2に対して石炭灰ブロックからなるマウンド部１３の表面積は６，０５８ｍ2であり、全表面積の約５６％となる。
【００５１】
以上のことから、図１（ａ）〜（ｃ）のマウンド魚礁構造物１０によれば、石材のみを構成材料とする図１１のような同一形状のマウンド魚礁と比較すると、魚類の蝟集効果を大幅に向上できるとともに、産業廃棄物のリサイクル効果を併せ持つことができる。また、石炭灰ブロックのみを構成材料とする図１１のような同一形状のマウンド魚礁と比較すると、構成材料である石材が低コストであるから建設コストを大幅に低減することができる。
【００５２】
なお、マウンド魚礁構造物１０の上述の各設計寸法は、一例であって、適宜変更可能であることはもちろんである。
【００５３】
また、図１（ｂ）、（ｃ）においてマウンド部１３の頂上部１３ａのマウンド高さｈは、略円錐状部１１，１２の頂点の高さと略同一としたが、略円錐状部１１，１２の頂点の高さよりも低くしてもよい。
【００５４】
〈第２の実施の形態〉
【００５５】
図３（ａ）、（ｂ）に示す第２の実施の形態によるマウンド魚礁構造物２０は、石材からなる両端の第１及び第２の略円錐状部２１，２２が図１（ａ）、（ｃ）の場合よりも接近し、それらの法尻が重なり合っており、このため、略円錐状部２１と２２の間に石炭灰ブロックから形成されるマウンド部２３は、そのマウンド幅ｆ１が図１（ａ）のマウンド幅ｆよりも短くなっている。
【００５６】
図３（ａ）、（ｂ）のマウンド魚礁構造物２０は、図２と同様の構築工程Ｓ０１〜Ｓ０３により構築することができ、その横方向断面は図１（ｂ）と同様に斜面を有する略三角形状であり、図１（ａ）〜（ｃ）と同様の効果を奏することができる。
【００５７】
〈第３の実施の形態〉
【００５８】
図４（ａ）、（ｂ）に示す第３の実施の形態によるマウンド魚礁構造物３０は、マウンド幅が大きく、石材からなる両端の第１及び第２の略円錐状部３１，３２が図１（ａ）、（ｃ）の場合よりも離れており、このため、略円錐状部３１と３２の間に石炭灰ブロックから形成されるマウンド部３３は、そのマウンド幅ｆ２が図１（ａ）のマウンド幅ｆよりも長くなっている。
【００５９】
図４（ａ）、（ｂ）のマウンド魚礁構造物３０は、図２と同様の構築工程Ｓ０１〜Ｓ０３により構築することができ、その横方向断面は図１（ｂ）と同様に斜面を有する略三角形状であり、図１（ａ）〜（ｃ）と同様の効果を奏することができる。
【００６０】
〈第４の実施の形態〉
【００６１】
図５（ａ）、（ｂ）に示す第４の実施の形態によるマウンド魚礁構造物４０は、マウンド幅が更に大きく、石材からなる両端の第１及び第２の略円錐状部４１，４２が図４（ａ）、（ｂ）の場合よりも離れており、両端の略円錐状部４１と４２との間の中間部分に石材からなる第３の略円錐状部４３が配置されている。略円錐状部４１と４３との間に第１のマウンド部４４が石炭灰ブロックから形成され、略円錐状部４３と４２との間に第２のマウンド部４５が石炭灰ブロックから形成されている。第３の略円錐状部４３の両側にマウンド部４４，４５が位置するので、第３の略円錐状部４３は外部に露出しない。
【００６２】
第１及び第２のマウンド部４４，４５は、それらの表層部が全体として石炭灰ブロックから形成されているので、単一のマウンド部を構成し、そのマウンド幅ｆ３がマウンド部４４，４５の各マウンド幅の和であり、図４（ａ）のマウンド幅ｆ２よりも長くなっている。
【００６３】
図５（ａ）、（ｂ）のマウンド魚礁構造物４０は、図２の構築工程Ｓ０１〜Ｓ０３と同様に第１〜第３の略円錐状部４１，４２，４３を構築した後、第１及び第２のマウンド部４４，４５を構築することで建設できる。この場合、第１〜第３の略円錐状部４１〜４３は、４１→４３→４２の順、または、４１→４２→４３の順に構築できるが、略同時進行的に構築することもできる。その横方向断面は図１（ｂ）と同様に斜面を有する略三角形状であり、図１（ａ）〜（ｃ）と同様の効果を奏することができる。
【００６４】
また、図５（ａ）、（ｂ）のようにマウンド魚礁構造物４０（マウンド幅ｆ３）が長い場合には、両端の略円錐状部の間に第３，第４，・・・の略円錐状部を配置することで、マウンド部を形成する石炭灰ブロックの量を低減することができ、建設コストを抑えることができる。
【００６５】
〈第５の実施の形態〉
【００６６】
図６（ａ）〜（ｃ）に示す第５の実施の形態によるマウンド魚礁構造物５０は、構築位置の中央に略円錐状部５１を石材から構築し、略円錐状部５１の両側に第１及び第２のマウンド部５２，５３を石炭灰ブロックから形成し、略円錐状部５１の全体をマウンド部５２，５３の石炭灰ブロックで覆うようにしたものである。
【００６７】
図６（ａ）〜（ｃ）のマウンド魚礁構造物５０は、略円錐状部５１を構築した後に、略円錐状部５１の一端部側から他端部側に向けて石炭灰ブロックにより略円錐状部５１を覆うことでマウンド部５２，５３を形成することにより構築することができ、その横方向断面は、図６（ｂ）のように、図１（ｂ）と同様の斜面５５，５６を有する略三角形状であり、図１（ａ）〜（ｃ）と同様の効果を奏することができる。
【００６８】
図６（ａ）〜（ｃ）に示すマウンド魚礁構造物５０は、構築位置の中央に略円錐状部５１を石材から構築し、略円錐状部５１の両側に第１及び第２のマウンド部５２，５３を石炭灰ブロックから形成し、略円錐状部５１の全体をマウンド部５２，５３の石炭灰ブロックで覆うことで全体の表層部を石炭灰ブロックから構成したものである。
【００６９】
第１及び第２のマウンド部５２，５３は、それらの表層部が全体として石炭灰ブロックから形成されているので、単一のマウンド部を構成し、そのマウンド幅ｆ４はマウンド部５２，５３の各マウンド幅の和である。
【００７０】
図６（ａ）〜（ｃ）のマウンド魚礁構造物５０は、略円錐状部５１を構築した後に、略円錐状部５１の一端部側から他端部側に向けて石炭灰ブロックにより略円錐状部５１を覆うことでマウンド部５２，５３を構築することより建築でき、その横方向断面は、図６（ｂ）のように、図１（ｂ）と同様の斜面５５，５６を有する略三角形状であり、図１（ａ）〜（ｃ）と同様の効果を奏することができる。
【００７１】
〈第６の実施の形態〉
【００７２】
図７（ａ）、（ｂ）に示す第６の実施の形態によるマウンド魚礁構造物６０は、石材からなる両端の第１及び第２の略円錐状部６１と６２の間の第１のマウンド部６３に加えて、略円錐状部６１，６２の外側に延長部として第２及び第３のマウンド部６４，６５を石炭灰ブロックから形成し、第１及び第２の略円錐状部６１，６２の全体をマウンド部６３〜６５の石炭灰ブロックで覆うことで全体の表層部を石炭灰ブロックから構成したものである。
【００７３】
第１〜第３のマウンド部６３〜６５は、それらの表層部が全体として石炭灰ブロックから形成されているので、単一のマウンド部を構成し、そのマウンド幅ｆ５は第１〜第３のマウンド部６３〜６５の各マウンド幅の和であり、また、第２及び第３のマウンド部６４，６５が延長部として追加されているので、図１（ａ）のマウンド幅ｆよりも長い。
【００７４】
図７（ａ）、（ｂ）のマウンド魚礁構造物６０は、略円錐状部６１，６２を構築した後に、略円錐状部６１の端部外側から略円錐状部６２の端部外側に向けて石炭灰ブロックにより略円錐状部６１，６２の略全体を覆うことで第１〜第３のマウンド部６４，６３，６５を形成して構築することができ、その横方向断面は、図１（ｂ）と同様に斜面を有する略三角形状であり、図１（ａ）〜（ｃ）と同様の効果を奏することができる。
【００７５】
また、マウンド魚礁構造物６０によれば、図１のマウンド魚礁構造物１０と比べて石炭灰ブロックによる表面積を増加させることができるが、図３〜図５の各マウンド魚礁構造物２０，３０，４０においても、図７のように、延長部としてのマウンド部を更に構築してもよく、また、図７の場合も含めて、延長部は一方の端部側だけに設けてもよい。
【００７６】
〈第７の実施の形態〉
【００７７】
図１０（ａ）〜（ｃ）に示す第７の実施の形態によるマウンド魚礁構造物９０は、図１（ａ）〜（ｃ）と同様の構造であるが、マウンド部１３を、略円錐状部１１と１２の間に形成する際に内部１３ｃを石材から形成し、表層部１３ｂを石炭灰ブロックから構成し二層構造にしたものである。
【００７８】
図１０（ａ）〜（ｃ）のマウンド魚礁構造物９０は、図２と同様の構築工程Ｓ０１〜Ｓ０３により構築することができるが、マウンド部１３の内部１３ｃを石材で構築してから、内部１３ｃの石材を覆うようにして表層部１３ｂを石炭灰ブロックで構築する。これにより、マウンド部１３の石炭灰ブロックの必要量が減り、図１の場合よりも建設コストを低減できる。また、マウンド魚礁構造物９０の横方向断面は図１（ｂ）と同様の斜面１５，１６を有する略三角形状であり、図１（ａ）〜（ｃ）と同様の効果を奏することができる。
【００７９】
なお、図１０（ａ）〜（ｃ）のマウンド魚礁構造物９０のマウンド部１３の二層構造は、図３〜図７の各マウンド魚礁構造物に適用可能であり、建設コストの一層の低減化を実現できる。
【００８０】
〈第８の実施の形態〉
【００８１】
図８に示す第８の実施の形態によるマウンド魚礁構造物７０は、海底面Ｇに断面形状が略台形状になるように石材から形成された土台部７１と、土台部７１の上に断面形状が略三角形状になるように石炭灰ブロックから形成されたマウンド部７２と、を備える。マウンド部７２は石炭灰ブロックからなる斜面７３，７４を有し、斜面７３，７４で湧昇流を発生させることができる。
【００８２】
図８のマウンド魚礁構造物７０は、石材を用いて海底面Ｇに下部に土台部７１を構築し、その上に石炭灰ブロックを用いてマウンド部７２を構築することで建設できる。なお、マウンド魚礁構造物７０は、斜面７３，７４を有するように図８の紙面垂直方向に延びた構成にできる。
【００８３】
図８のマウンド魚礁構造物７０によれば、石材のみを構成材料とする同一形状のマウンド魚礁と比較すると、マウンド部７２に石炭灰ブロックを用いることで魚類の蝟集効果を大幅に向上できるとともに、産業廃棄物のリサイクル効果を併せ持つことができ、また、石炭灰ブロックのみを構成材料とする同一形状のマウンド魚礁と比較すると、土台部７１の構成材料である石材が低コストであるから建設コストを大幅に低減することができる。
【００８４】
また、構築時において略三角形状断面のマウンド部７２の形状は比較的容易に確保することができる。
【００８５】
なお、図８のマウンド魚礁構造物７０では、石炭灰ブロックを投入したときブロックが海底面Ｇまで転がり落ちないように土台部７１の上面幅ｗにある程度の余裕を持たせる必要があり、また、構成材料の投入時の拡散により土台部７１の斜面の傾斜角αも緩くなるので、結果的に土台部７１の構成材料の投入量が増える場合もあるが、土台部７１の構成材料は石材であるので、コスト的にはさほど影響がない。
【００８６】
また、マウンド部７２も構成材料の投入時に拡散が発生するので、マウンド部７２の構築工程において構築状況を測量しながら投入位置を調整することが好ましい。この構築状況の測量に関しては、本出願人による上記特許出願に記載の方法を用いることができる。
【００８７】
〈第９の実施の形態〉
【００８８】
図９に示す第９の実施の形態によるマウンド魚礁構造物８０は、海底面Ｇに断面形状が略三角形状になるように石材から形成された土台部８１と、土台部８１全体を覆って斜面８３，８４を形成するように石炭灰ブロックから形成されたマウンド表層部８２と、を備え、二層構造になっている。マウンド表層部８２において石炭灰ブロックからなる斜面８３，８４で湧昇流を発生させることができる。
【００８９】
図９のマウンド魚礁構造物８０は、石材を用いて海底面Ｇに土台部８１を構築し、その上に三角形状断面の土台部８１全体を覆うように石炭灰ブロックでマウンド表層部（以下、単に「表層部」ともいう）８２を構築することで建設できる。なお、マウンド魚礁構造物８０は、斜面８３，８４を有するように図９の紙面垂直方向に延びた構成にできる。
【００９０】
図９のマウンド魚礁構造物８０によれば、石材のみを構成材料とする同一形状のマウンド魚礁と比較すると、マウンド表層部８２に石炭灰ブロックを用いることで魚類の蝟集効果を大幅に向上できるとともに、産業廃棄物のリサイクル効果を併せ持つことができ、また、石炭灰ブロックのみを構成材料とする同一形状のマウンド魚礁と比較すると、土台部８１の構成材料である石材が低コストであるから建設コストを大幅に低減することができる。
【００９１】
また、マウンド魚礁構造物８０の表層部のほぼ全面を石炭灰ブロックから形成できるので、石炭灰ブロックの表面積を図８よりも大きくできる。
【００９２】
なお、図９のように、構成材料から略三角形状断面の土台部８１を形成し、その後、性質の異なる構成材料でマウンド表層部８２を構築する方法によれば、マウンド高さと水深の関係によっては、土台部８１の斜面の傾斜角βが緩くなる可能性があり、更に、マウンド表層部８２の構築時に投入する構成材料が土台部８１の斜面に沿って転落して法先部に集積し、構成材料のロスが大きくなる場合があるので、マウンド表層部８２の構築工程において構築状況を測量しながら投入位置を調整することが好ましい。
【００９３】
また、図８，図９では、上述のように構成材料の投入量が増える可能性があり、また、マウンド魚礁構造物の斜面の傾斜角の低下が構成材料の投入量増加だけでなく、発生湧昇量の非効率化にも繋がる可能性があるので、マウンド高さと水深の関係等のためにかかる斜面の傾斜角低下の可能性がある場合には、図１〜図７，図１０のような石材等の構成材料からなる略円錐状部を最初に構築するマウンド魚礁構造物の方が好ましい。
【００９４】
また、図９，図１０において、マウンド魚礁構造物８０，９０を設置する海域の潮流が殆ど一定方向に流れる場合には、表層部８２の一方の斜面８３または８４，表層部１３ｂの一方の斜面１５または１６を二層構造とし、他方の斜面は、二層構造ではなく、土台部８１，内部１３ｃの石材を露出させるようにしてもよい。例えば、図１０（ｃ）において潮流の流れ方向ｍがほぼ一定であれば、斜面１５側を表層部１３ｂと内部１３ｃとからなる二層構造とし、斜面１６側を石材のみから構成するようにしてもよい。
【００９５】
以上のように、異なる特徴を有するマウンド魚礁を実現するような複数の異なる構成材料によるマウンド魚礁構造やその構築方法について、これまで有効で合理的な提案はなされていなかったが、上述の各実施の形態によれば、性質の異なる複数の構成材料を用い、少なくとも表層部を魚類の蝟集効果が優れた石炭灰ブロックで構成し内部の少なくとも一部を経済性が優れた石材で構成するといった合理的な構成により、マウンド魚礁構造物の機能向上を低コストで実現できる。
【００９６】
更に、マウンド魚礁構造物の建設に使用する構成材料の選択範囲を大幅に広げることが可能となり、当面は経済性に優れる構成材料によって略円錐状部や土台部を先行して構築し、その後、マウンド魚礁の機能を付加するような構成材料によってマウンド部またはマウンド表層部の構築することで、容易かつ低コストで建設が可能となる。
【００９７】
以上のように本発明を実施するための最良の形態について説明したが、本発明はこれらに限定されるものではなく、本発明の技術的思想の範囲内で各種の変形が可能である。例えば、本実施の形態では、複数の構成材料として、石材と、石炭灰を利用したブロックを用いたが、本発明はこれらに限定されず、他の構成材料であってもよく、例えば、水産廃棄物である帆立や牡蠣等の貝殻を用いたブロックでもよく、コンクリートのみからなるブロックでもよいし、将来新たに開発される構成材料であってもよいことはもちろんである。
【図面の簡単な説明】
【００９８】
【図１】第１の実施の形態によるマウンド魚礁構造物を概略的に示す平面図（ａ）、横方向のｂ−ｂ線方向に切断してみた概略的な横断面図（ｂ）、及び縦方向のｃ−ｃ線方向に切断してみた概略的な縦断面図（ｃ）である。
【図２】図１（ａ）〜（ｃ）のマウンド魚礁構造物を構築する工程Ｓ０１〜Ｓ０３を説明するためのフローチャートである。
【図３】第２の実施の形態によるマウンド魚礁構造物を概略的に示す平面図（ａ）、及び縦方向のｂ−ｂ線方向に切断してみた概略的な横断面図（ｂ）である。
【図４】第３の実施の形態によるマウンド魚礁構造物を概略的に示す平面図（ａ）、及び縦方向のｂ−ｂ線方向に切断してみた概略的な横断面図（ｂ）である。
【図５】第４の実施の形態によるマウンド魚礁構造物を概略的に示す平面図（ａ）、及び縦方向のｂ−ｂ線方向に切断してみた概略的な横断面図（ｂ）である。
【図６】第５の実施の形態によるマウンド魚礁構造物を概略的に示す平面図（ａ）、横方向のｂ−ｂ線方向に切断してみた概略的な横断面図（ｂ）、及び縦方向のｃ−ｃ線方向に切断してみた概略的な縦断面図（ｃ）である。
【図７】第６の実施の形態によるマウンド魚礁構造物を概略的に示す平面図（ａ）、及び縦方向のｂ−ｂ線方向に切断してみた概略的な横断面図（ｂ）である。
【図８】第８の実施の形態によるマウンド魚礁構造物を概略的に示す横断面図である。
【図９】第９の実施の形態によるマウンド魚礁構造物を概略的に示す横断面図である。
【図１０】第７の実施の形態によるマウンド魚礁構造物を概略的に示す平面図（ａ）、横方向のｂ−ｂ線方向に切断してみた概略的な横断面図（ｂ）、及び縦方向のｃ−ｃ線方向に切断してみた概略的な縦断面図（ｃ）である。
【図１１】従来のマウンド魚礁の概略的な平面図（ａ）、横方向のｂ−ｂ線方向に切断してみた概略的な横断面図（ｂ）、及び縦方向のｃ−ｃ線方向に切断してみた概略的な縦断面図（ｃ）である。
【符号の説明】
【００９９】
１０ マウンド魚礁構造物
１１ 第１の略円錐状部
１２ 第２の略円錐状部
１３ マウンド部
１３ａ 頂上部
１３ｂ 表層部
１３ｃ 内部
１５，１６ 斜面
２０ マウンド魚礁構造物
２１ 第１の略円錐状部
２２ 第２の略円錐状部
２３ マウンド部
３０ マウンド魚礁構造物
３１ 第１の略円錐状部
３２ 第２の略円錐状部
３３ マウンド部
４０ マウンド魚礁構造物
４１ 第１の略円錐状部
４２ 第２の略円錐状部
４３ 第３の略円錐状部
４４ 第１のマウンド部
４５ 第２のマウンド部
５０ マウンド魚礁構造物
５１ 略円錐状部
５２ 第１のマウンド部
５３ 第２のマウンド部
５５，５６ 斜面
６０ マウンド魚礁構造物
６１ 第１の略円錐状部
６２ 第２の略円錐状部
６３ 第１のマウンド部
６４ 第２のマウンド部、延長部
６５ 第３のマウンド部、延長部
７０ マウンド魚礁構造物
７１ 土台部
７２ マウンド部
７３，７４ 斜面
８０ マウンド魚礁構造物
８１ 土台部
８２ マウンド表層部、表層部（マウンド部）
８３，８４ 斜面
９０ マウンド魚礁構造物
Ｇ 海底面
Ｌ 縦方向
ｆ マウンド幅
ｆ１〜ｆ５ マウンド幅
ｈ マウンド高さ
ｍ 潮流の方向
ｎ 湧昇流の方向
【図１】
2008212108.tif 000003
【図２】
2008212108.tif 000004
【図３】
2008212108.tif 000005
【図４】
2008212108.tif 000006
【図５】
2008212108.tif 000007
【図６】
2008212108.tif 000008
【図７】
2008212108.tif 000009
【図８】
2008212108.tif 000010
【図９】
2008212108.tif 000011
【図１０】
2008212108.tif 000012
【図１１】
2008212108.tif 000013